(57)【要約】【課題】３つのチューナを備えても、単一の処理部が、所定時間内に鍵情報の処理をできる受信装置を提供する。【解決手段】受信装置は、ＣＰＵを備える。ＣＰＵは、デスクランブルされた第1のデータが外部機器に出力され、デスクランブルされた第２のデータが記録部に記録され、デスクランブルされた第３のデータが記録部に記録される場合、処理部に第１の鍵更新情報と第２の鍵更新情報と第３の鍵更新情報のうちいずれか１つまたは２つと、第１の鍵情報と第２の鍵情報と第３の鍵情報とを処理部にて処理するように選択する。【選択図】図５
2012156601.tif 000002
【特許請求の範囲】
【請求項１】
放送波から、スクランブルされた第1のデータと前記第１のデータをデスクランブルするために前記第１のデータより所定時間前に送信される第1の鍵情報と第1の鍵更新情報とを含む、第1の放送信号を選局する第1のチューナと、
前記放送波から、スクランブルされた第２のデータと前記第２のデータをデスクランブルするために前記第２のデータより所定時間前に送信される第２の鍵情報と第２の鍵更新情報とを含む、第２の放送信号を選局する第２のチューナと、
前記放送波から、スクランブルされた第３のデータと前記第３のデータをデスクランブルするために前記第３のデータより所定時間前に送信される第３の鍵情報と第３の鍵更新情報とを含む、第３の放送信号を選局する第３のチューナと、
前記第1のデータ、および／または前記第２のデータ、および／または前記第３のデータをデスクランブルするデスクランブルモジュールを有する制御部と、
デスクランブルされた第1のデータ、および／またはデスクランブルされた第２のデータ、および／またはデスクランブルされた第３のデータを記録する記録部と、
前記デスクランブルされた第1のデータ、または前記デスクランブルされた第２のデータ、または前記デスクランブルされた第３のデータを外部機器に出力する出力部と、
前記第1の鍵情報と前記第２の鍵情報と前記第３の鍵情報と前記第1の鍵更新情報と前記第２の鍵更新情報と前記第３の鍵更新情報とをシリアルに処理可能な処理部と、
を備え、前記第１の鍵更新情報と前記第２の鍵更新情報と前記第３の鍵更新情報のうちいずれか１つまたは２つと、前記第１の鍵情報と前記第２の鍵情報と前記第３の鍵情報とを前記処理部にて処理するように選択する、受信装置。
【発明の詳細な説明】
【技術分野】
【０００１】
ここに開示された技術は、放送波を受信可能な受信装置に関する。
【背景技術】
【０００２】
スクランブルされた映像データなどが含まれる放送波を受信するためには、映像データをデスクランブル処理する必要がある（例えば、特許文献１参照）。デスクランブル処理には、受信装置に備えられた処理部が放送波に含まれる鍵情報を変換した変換鍵を要する。鍵情報は、処理部が備える鍵情報変換手段によって、変換処理される。また、放送波には、鍵更新情報が含まれる。処理部は、鍵更新情報を用いて鍵情報変換手段を更新する処理を行う。また、処理部は、シリアル処理のみ行うことができる。処理部は、鍵情報の変換処理を、所定時間内に終了させる必要がある。所定時間内に処理が終了できなかった場合は変換鍵が生成できない。その場合、受信装置は、デスクランブル処理に失敗し、映像がブロックノイズになるなどの問題が発生する。
【０００３】
ところで、従来の受信装置では、２つのチューナを備える場合、２つのチューナから送られる情報を、単一の処理部により処理していた。まず、第１のチューナは、鍵更新情報１を受信する。続いて第１のチューナは鍵情報１を受信する。次に第１のチューナは、鍵情報１を受信してから所定時間経過後に、デスクランブル処理する映像データおよび音声データなどを受信する。第２のチューナは、鍵更新情報２を受信する。続いて第２のチューナは鍵情報２を受信する。次に第２のチューナは、鍵情報２を受信してから所定時間経過後に、デスクランブル処理する映像データおよび音声データなどを受信する。この場合、図６に示すように、処理部は、鍵情報１、鍵更新情報１、鍵情報２、および鍵更新情報２の処理をシリアルに行う。従来は、以上の処理を所定時間内に完了することが可能であった。
【先行技術文献】
【特許文献】
【０００４】
【特許文献１】特開２００８−２４４７１７号公報
【発明の概要】
【発明が解決しようとする課題】
【０００５】
近年、放送のディジタル化が進み、放送が多チャンネル化しつつある。受信装置には、より多くのチューナを備える要求がある。受信装置が３つのチューナと単一の処理部を備える場合、映像データなどのデスクランブル処理に失敗し、映像がブロックノイズになるなどの問題が発生するなどの課題がある。つまり、単一の処理部が、３つのチューナから送られる鍵情報の処理を所定時間内に完了できない場合が発生するためである。
【０００６】
ここに開示された技術は、上記課題を解決するためになされたもので、３つのチューナを備えても、単一の処理部が、所定時間内に鍵情報の処理をできる受信装置を提供することを目的とする。
【課題を解決するための手段】
【０００７】
上記の課題は、以下の受信装置によって解決される。受信装置は、放送波から、スクランブルされた第1のデータと第１のデータをデスクランブルするために第１のデータより所定時間前に送信される第1の鍵情報と第1の鍵更新情報とを含む、第1の放送信号を選局する第1のチューナと、放送波から、スクランブルされた第２のデータと第２のデータをデスクランブルするために第２のデータより所定時間前に送信される第２の鍵情報と第２の鍵更新情報とを含む、第２の放送信号を選局する第２のチューナと、放送波から、スクランブルされた第３のデータと第３のデータをデスクランブルするために第３のデータより所定時間前に送信される第３の鍵情報と第３の鍵更新情報とを含む、第３の放送信号を選局する第３のチューナと、第1のデータ、および／または第２のデータ、および／または第３のデータをデスクランブルするデスクランブルモジュールを有する制御部と、デスクランブルされた第１のデータ、および／またはデスクランブルされた第２のデータ、および／またはデスクランブルされた第３のデータを記録する記録部と、デスクランブルされた第1のデータ、またはデスクランブルされた第２のデータ、またはデスクランブルされた第３のデータを外部機器に出力する出力部と、第1の鍵情報と第２の鍵情報と第３の鍵情報と第1の鍵更新情報と第２の鍵更新情報と第３の鍵更新情報とをシリアルに処理可能な処理部と、を備える。制御部は、処理部が処理する情報を選択する選択部をさらに有し、選択部は、デスクランブルされた第1のデータが外部機器に出力され、デスクランブルされた第２のデータが記録部に記録され、デスクランブルされた第３のデータが記録部に記録される場合、処理部に第１の鍵更新情報と第２の鍵更新情報と第３の鍵更新情報のうちいずれか１つまたは２つと、第１の鍵情報と第２の鍵情報と第３の鍵情報とを処理部にて処理するように選択する。
【発明の効果】
【０００８】
３つのチューナを備えても、単一の処理部が、所定時間内に鍵情報の処理をできる受信装置を提供できる。
【図面の簡単な説明】
【０００９】
【図１】本実施の形態における受信装置の機能的構成を示すブロック図
【図２】同機能的構成を詳細に表したブロック図
【図３】放送波のチャンネル構成を示す図
【図４】鍵情報および鍵更新情報の処理シーケンスを示す図
【図５】本実施の形態における処理部の動作を示す図
【図６】従来の受信装置における処理部の動作を示す図
【発明を実施するための形態】
【００１０】
（実施の形態）
［１．受信装置１００の概要］
図１および図２を用いて本実施の形態における受信装置１００について説明する。図１に示すように、受信装置１００は、アンテナ１０１で、スクランブルされた画像データなどを含む放送波を検出し、チューナ部１０２により特定の放送信号（チャンネル）の信号を検出・増幅し、復調処理を行うものである。復調された信号は、制御部１０３に入力される。制御部１０３は、処理部１０４を用いてデスクランブル処理を行う。処理部１０４は、デスクランブル処理を行うための変換鍵を生成する。変換鍵は、処理部１０４が備える鍵情報変換手段である複数のＩＣ（Ｉｎｔｅｇｒａｔｅｄ  Ｃｉｒｃｕｉｔ）チップにより鍵情報を変換することにより、生成される。鍵情報変換手段は、放送波の複数のチャンネルで共通の場合もあれば、チャンネルによって異なる場合もある。さらに、制御部１０３は、デスクランブルされた映像データ、音声データなどをデコーダ１０５に送る。デコーダ１０５は映像データおよび音声データのデコード処理を行う。デコード処理された映像、音声などが含まれた放送番組などは、出力部１０６からテレビモニタなどの外部機器に出力される。さらに受信装置１００は、記録部としてＨＤＤ（Ｈａｒｄ  Ｄｉｓｋ  Ｄｒｉｖｅ）１０７を備える。ＨＤＤ１０７は、制御部１０３から送られたデコード前の映像データおよび音声データなどを記録する。
【００１１】
図２に示すように、チューナ部１０２は第１チューナ２０１、第２チューナ２０２、および第３チューナ２０３により構成される。制御部１０３は、デスクランブルモジュール２０４、ＣＰＵ（Ｃｅｎｔｒａｌ  Ｐｒｏｃｅｓｓｉｎｇ  Ｕｎｉｔ）２０５を含む。ＣＰＵ２０５では第１チューナ２０１、第２チューナ２０２、第３チューナ２０３のそれぞれから受信した放送信号により、処理部１０４の処理内容を決定する。処理内容は後に詳しく述べられる。ＣＰＵ２０５は、処理部１０４から受信するデータを用いてデスクランブルモジュール２０４の制御を行う。つまり、デスクランブルモジュール２０４が映像データ、音声データなどのデスクランブルを行う。その後、制御部１０３は、デコーダ１０５に映像データ、音声データなどを送る。デコーダ１０５は、映像データ、音声データなどをデコードする。
【００１２】
すなわち、本実施の形態においては、ＣＰＵ２０４が処理部１０４と通信処理を行うことで、放送番組の視聴や録画を可能としている。
【００１３】
図３は、放送波のチャンネル構成の一例を示した図である。例えばＣＨ１（チャンネル１）、ＣＨ２、ＣＨ３は、鍵更新情報を含まない。しかしＣＨ1、ＣＨ２、ＣＨ３には、鍵情報を含む場合がある。一方、ＣＨ４、ＣＨ５、ＣＨ６は、鍵更新情報も鍵情報も含んでいる場合がある。
【００１４】
［２．処理シーケンス］
次に、デスクランブルモジュール２０４、ＣＰＵ２０５、および処理部１０４の処理シーケンスを図４で説明する。ＳＥ１０１において、ＣＰＵ２０５は鍵情報を処理部１０４に送信する。ＳＥ１０２において、処理部１０４は、鍵情報変換手段であるＩＣチップによって鍵情報の変換処理を行う。さらに、処理部１０４は鍵情報の変換処理によって生成された変換鍵をＣＰＵ２０５に送信する。ＳＥ１０３において、ＣＰＵ２０５は処理部１０４から送信された変換鍵をデスクランブルモジュール２０４に送信する。ＳＥ１０４において、デスクランブルモジュール２０４は、ＣＰＵ２０５から送信された変換鍵を用いて、映像データ、音声データなどをデスクランブルする。
【００１５】
また、ＳＥ１０５において、ＣＰＵ２０５は鍵更新情報を処理部１０４に送信する。ＳＥ１０６において、処理部１０４は鍵更新処理を行い、鍵情報変換手段の更新を行う。処理部１０４は、鍵情報変換手段の更新確認をＣＰＵ２０５に送信する。
【００１６】
［３．処理部１０４による処理］
本実施の形態においては、３つのチューナの受信処理時は鍵更新情報の処理を視聴中の１つのチューナ分のみ行うことで、３つの鍵情報処理を規定時間内に終了させるものである。具体的には、第１のチューナ２０１が受信した第１の放送信号は、視聴者に視聴されている。第２のチューナ２０２が受信した第２の放送信号は、ＨＤＤ１０７に記録されている。第３のチューナ２０３が受信した第３の放送信号は、ＨＤＤ１０７に記録されている。このとき、第１のチューナは鍵更新情報１と鍵情報１およびスクランブルされた第１のデータを受信する。次に第２のチューナが鍵更新情報２と鍵情報２およびスクランブルされた第２のデータを受信する。次に第３のチューナが鍵更新情報３と鍵情報３およびスクランブルされた第３のデータを受信する。ここでＣＰＵ２０５は、鍵更新情報１と鍵情報を処理部１０４に送る。つまり、ＣＰＵ２０５は、この時点では、鍵更新情報２および鍵更新情報３を処理部１０４に送らない。処理部１０４は、鍵更新情報２と鍵更新情報３を処理せずに、鍵更新情報１と鍵情報１と鍵情報２と鍵情報３とをシリアルに処理する。よって、処理部１０４は、所定時間内に処理を完了できる。次のサイクルでは、鍵更新情報２と鍵情報１から３とを処理し、その次のサイクルでは鍵更新情報３と鍵情報１から３とを処理することで、鍵情報１から３を所定時間内に処理することができる（図５）。
【００１７】
または処理部１０４は、鍵更新情報３を処理せずに、鍵更新情報１と鍵更新情報２と鍵情報１と鍵情報２と鍵情報３とを処理しても良い。さらにその後に、鍵更新情報３と鍵情報１と鍵情報２と鍵情報３とを処理するように、鍵更新情報と鍵情報を処理部１０４に送ってもよい。要するに、ＣＰＵ２０５は、まず鍵更新情報１〜３のうちの１つまたは２つだけを処理部１０４が処理するように選択し、次のサイクルで前サイクルで処理できなかった別の鍵更新情報を処理するように選択することができる。上記の構成においても、処理部１０４は、所定時間内に処理を完了できる。なお、鍵更新情報１から３の処理と鍵情報１から３との処理については、鍵情報１から３の処理を優先して先に処理部で処理するように選択しても良い。
【００１８】
［４．まとめ］
本実施の形態における受信装置１００は、放送波から、スクランブルされた第1のデータと第１のデータをデスクランブルするために第１のデータより所定時間前に送信される第1の鍵情報と第1の鍵更新情報とを含む、第1の放送信号を選局する第1のチューナ２０１と、放送波から、スクランブルされた第２のデータと第２のデータをデスクランブルするために第２のデータより所定時間前に送信される第２の鍵情報と第２の鍵更新情報とを含む、第２の放送信号を選局する第２のチューナ２０２と、放送波から、スクランブルされた第３のデータと第３のデータをデスクランブルするために第３のデータより所定時間前に送信される第３の鍵情報と第３の鍵更新情報とを含む、第３の放送信号を選局する第３のチューナ２０３と、第1のデータ、および／または第２のデータ、および／または第３のデータをデスクランブルするデスクランブルモジュールを有する制御部１０３と、デスクランブルされた第１のデータ、および／またはデスクランブルされた第２のデータ、および／またはデスクランブルされた第３のデータを記録する記録部であるＨＤＤ１０７と、デスクランブルされた第1のデータ、またはデスクランブルされた第２のデータ、またはデスクランブルされた第３のデータを外部機器に出力する出力部１０６と、第1の鍵情報と第２の鍵情報と第３の鍵情報と第1の鍵更新情報と第２の鍵更新情報と第３の鍵更新情報とをシリアルに処理可能な処理部１０４と、を備える。制御部１０３は、処理部１０４が処理する情報を選択する選択部であるＣＰＵ２０５をさらに有し、ＣＰＵ２０５は、デスクランブルされた第1のデータが外部機器に出力され、デスクランブルされた第２のデータがＨＤＤ１０７に記録され、デスクランブルされた第３のデータがＨＤＤ１０７に記録される場合、処理部１０４に第１の鍵更新情報と第２の鍵更新情報と第３の鍵更新情報のうちいずれか１つまたは２つと、第１の鍵情報と第２の鍵情報と第３の鍵情報とを処理部にて処理するように選択する。
【００１９】
上記の構成の受信装置によれば、３つのチューナを備えても、単一の処理部が、所定時間内に鍵情報の処理をできる。よって、映像データなどのデスクランブル処理に失敗し、映像がブロックノイズになるなどの問題が発生することを低減できる。
【産業上の利用可能性】
【００２０】
ここに開示された受信装置は、光ディスクレコーダー、ＨＤＤレコーダーなどに広く有用である。
【符号の説明】
【００２１】
１００    受信装置
１０１    アンテナ
１０２    チューナ部
１０３    制御部
１０４    処理部
１０５    デコーダ
１０６    出力部
１０７    ＨＤＤ
２０１    第１のチューナ
２０２    第２のチューナ
２０３    第３のチューナ
２０４    デスクランブルモジュール
２０５    ＣＰＵ
【図１】
2012156601.tif 000003
【図２】
2012156601.tif 000004
【図３】
2012156601.tif 000005
【図４】
2012156601.tif 000006
【図５】
2012156601.tif 000007
【図６】
2012156601.tif 000008